(57)【要約】      （修正有）【課題】巻き替え工程などの追加の工程を必要とせずケーブルの条長が目視で判別できるケーブルドラムを提供する。【解決手段】巻かれたケーブル４の条長を判別できるケーブルドラム１であって、胴部２が円錐台状に形成されると共に胴部２の外周面２ａにケーブル残量を示す複数のマーク５ａ〜５ｄが設けられ、その胴部２に、ケーブル４を小径側の胴部２から巻き付けると共にトラバース幅Ｗを胴部２の傾斜に応じて順次広くして巻き付けられたものである。【選択図】図２
2014009093.tif 000002
【特許請求の範囲】
【請求項１】
巻かれたケーブルの条長を判別できるケーブルドラムであって、
胴部が円錐台状に形成されると共に胴部の外周面にケーブル残量を示す複数のマークが設けられ、その胴部に、前記ケーブルを小径側の胴部から巻き付けると共にトラバース幅を胴部の傾斜に応じて順次広くして巻き付けられたことを特徴とするケーブルドラム。
【請求項２】
前記マークが、胴部の外周面に軸方向に位置をずらして設けられた請求項１記載のケーブルドラム。
【請求項３】
前記マークが、それぞれ別の色に色分けされた請求項１又は２記載のケーブルドラム。
【発明の詳細な説明】
【技術分野】
【０００１】
本発明は、ケーブルドラムに関するものである。
【背景技術】
【０００２】
図５に示すように、ケーブルドラム３１に巻かれたケーブル４の一部を使用し、保管した後、再度使用するとき等ケーブルドラム３１に巻かれたケーブル４を複数回に分けて使用するとき、ケーブル残量、すなわち、ケーブルドラム３１に巻かれたケーブル４の条長（長さ）が目視でわかるように、ケーブル４の表面にレングスマークやレングステープ等が付けられている。そして、ケーブルドラム３１に巻かれたケーブル４の条長は、レングスマークやレングステープ等で確認していた。
【先行技術文献】
【特許文献】
【０００３】
【特許文献１】実開平７−８３７２号公報
【特許文献２】実開昭６０−１４８７７２号公報
【特許文献３】特開２００９−１１３８８０号公報
【発明の概要】
【発明が解決しようとする課題】
【０００４】
しかしながら、レングスマークやレングステープ等をケーブル４に付けるのには巻き替え工程などの追加の工程を必要とし、また、その作業も手間がかかるという課題があった。
【０００５】
そこで、本発明の目的は、上記課題を解決し、巻き替え工程などの追加の工程を必要とせずケーブルの条長が目視で判別できるケーブルドラムを提供することにある。
【課題を解決するための手段】
【０００６】
上記課題を解決するために本発明は、巻かれたケーブルの条長を判別できるケーブルドラムであって、胴部が円錐台状に形成されると共に胴部の外周面にケーブル残量を示す複数のマークが設けられ、その胴部に、前記ケーブルを小径側の胴部から巻き付けると共にトラバース幅を胴部の傾斜に応じて順次広くして巻き付けられたものである。
【０００７】
また、前記マークが、胴部の外周面に軸方向に位置をずらして設けられるとよい。
【０００８】
またさらに、前記マークが、それぞれ別の色に色分けされるとよい。
【発明の効果】
【０００９】
本発明によれば、巻き替え工程などの追加の工程を必要とせずケーブルの条長が目視で判別できる。
【図面の簡単な説明】
【００１０】
【図１】本実施の形態に係るケーブル付きケーブルドラムの正面断面図である。
【図２】ケーブルドラムにケーブルを巻く手順を示す説明図である。
【図３】他の実施の形態を示すケーブル付きケーブルドラムの正面断面図である。
【図４】他の実施の形態を示すケーブル付きケーブルドラムの正面図である。
【図５】従来のケーブル付きケーブルドラムの正面断面図である。
【発明を実施するための形態】
【００１１】
本発明に係るケーブルドラムを添付図面に基づいて説明する。
【００１２】
図１に示すように、ケーブルドラム１は、円錐台状に形成された胴部２と、胴部２の両端に設けられた鍔部３と、胴部２の外周に複数段に巻き付けられたケーブル４とを備える。
【００１３】
胴部２は中空に形成されており、胴部２の外周面２ａには、ケーブル残量を示すためのマーク５ａ〜５ｄが設けられている。マーク５ａ〜５ｄは、軸方向に位置をずらして複数設けられている。また、マーク５ａ〜５ｄは、ケーブル４の巻き出しに応じて順次露出されるように軸方向に所定の間隔を隔てて設けられている。具体的には、所定の間隔とは、ケーブル４の直径と略同じ寸法である。ケーブル４が巻き出されて胴部２の露出が拡がる度に次のマーク５ａ〜５ｄが露出されるようになっている。また、マーク５ａ〜５ｄは、それぞれ環状に形成されると共に、それぞれ別の色に色分けされており、色に応じてケーブル４の残量が判別できるようになっている。具体的には、マーク５ａ〜５ｄは、胴部２の外周面２ａにインク等で印刷されている。なお、マーク５ａ〜５ｄは、胴部２の外周面２ａにテープ等を巻き付けてなるものであってもよい。
【００１４】
鍔部３は、それぞれ胴部２より大径の円板状に形成されている。また、鍔部３は、それぞれ胴部２にその中心軸６に対して直交して設けられている。
【００１５】
図２に示すように、ケーブル４は、胴部２の外周に小径側から巻き付けられると共に、トラバース幅Ｗを胴部２の傾斜に応じて順次広くして巻き付けられている。具体的には、同一段のケーブル４は、胴部２の小径側から大径側に連続的にトラバースして巻かれ、胴部２に当接する位置まで巻かれている。これにより、同一段のケーブル４は、全て同じ半径となるように巻かれている。なお、トラバース幅Ｗとは、胴部２にケーブル４を案内するトラバーサ７の移動幅であり、胴部２に巻かれるケーブル４の同一段の幅である。
【００１６】
次に本実施の形態の作用を述べる。
【００１７】
図１に示すケーブルドラム１からケーブル４を巻き出すと、胴部２の大径側から巻き出される。胴部２はケーブル４の巻き出し量に応じて大径側から順次露出される。それぞれのマーク５ａ〜５ｄが示すケーブル残量は予め決められており、露出されたマーク５ａ〜５ｄの色又は数を目視確認することで容易にケーブル残量を判別できる。例えば、第１のマーク５ａが露出された時点でケーブル４の巻き出し作業を終了し、残りのケーブル４を次の工事で使用する場合、第１のマーク５ａのみが露出されていることを目視確認するだけでケーブル残量を判別することができ、ケーブルドラム１の管理を容易に行うことができる。
【００１８】
またさらに、ケーブル４の巻き出し位置が胴部２の軸方向のどの位置にあるかを目視することにより、さらに正確にケーブル残量を判別することもできる。例えば、ケーブル４の巻き出し位置がトラバース幅Ｗの半分の位置にある場合、第１のマーク５ａが示す長さと、次に露出される第２のマーク５ｂが示す長さとの差を半分にするように暗算すれば、第１のマーク５ａが示す長さからさらにどれだけケーブル４が巻き出されたかを判別できる。
【００１９】
この後、次の工事等にてケーブル４がさらに巻き出されると、第１のマーク５ａを覆っていたケーブル４の段からケーブル４が巻き出される。このとき、前記段のケーブル４は、下層の段のケーブル４上に巻かれているため胴部２がさらに露出されることはない。
【００２０】
前記層のケーブル４が全て巻き出されると、巻き出し位置が下層の段に移り、第１のマーク５ａの隣りに位置する第２のマーク５ｂが露出される。これにより、ケーブル残量を判別できる。
【００２１】
以降、ケーブル４の巻き出し位置が下層の段に移る都度、順次マーク５ｃ、５ｄが露出され、ケーブル残量が示される。特に、胴部２は円錐台状に形成されており、マーク５ａ〜５ｄは胴部２に等間隔に設けられているため、残りのケーブル４の長さが短くなるほど短い間隔でマーク５ａ〜５ｄが露出され、ケーブル残量をより正確に判別することができる。
【００２２】
このように、胴部２が円錐台状に形成されると共に胴部２の外周面２ａにケーブル残量を示す複数のマーク５ａ〜５ｄが設けられ、その胴部２に、ケーブル４を小径側の胴部２から巻き付けると共にトラバース幅Ｗを胴部２の傾斜に応じて順次広くして巻き付けられるものとしたため、巻き替え工程などの追加の工程を必要とせずケーブル残量が目視で判別できる。
【００２３】
また、マーク５ａ〜５ｄが、胴部２の外周面２ａに軸方向に位置をずらして設けられるものとしたため、露出されたマーク５ａ〜５ｄの数を数えるだけで容易にケーブル残量を判別できる。
【００２４】
またさらに、マーク５ａ〜５ｄが、それぞれ別の色に色分けされるものとしたため、最も小径側で露出されたマーク５ａ〜５ｄの色を視るだけで容易にケーブル残量を判別できる。
【００２５】
なお、上述の実施の形態では、ケーブル４の段は下層から上層に行くに従ってトラバース幅Ｗがケーブル２本分ずつ増えるケーブルドラム１について説明したが、これに限るものではない。トラバース幅Ｗはケーブル１本分ずつ増えるものとしてもよく、３本以上の複数本ずつ増えるものとしてもよい。この場合、トラバース幅Ｗは胴部２の傾斜に応じて順次広くなるものであるため、胴部２の傾斜角度の設定を適宜調節するとよい。また、マーク５ａ〜５ｄは蛍光又は夜光であってもよい。暗い場所で作業する場合でもケーブル残量を容易に判別できる。また、マーク５ａ〜５ｄの間隔はケーブル４の直径と略同じ寸法に設定されるものとしたが、設定を適宜調節してもよい。例えば、ケーブル４の直径の整数倍としてもよい。またさらに、マーク５ａ〜５ｄは胴部２の外周面２ａに環状に形成されるものとしたが、これに限るものではない。例えば、マーク５ａ〜５ｄは、弧状に形成されるものとしてもよく、点状に形成されるものとしてもよく、文字からなるものとしてもよい。
【００２６】
他の実施の形態について述べる。
【００２７】
図３は図１に示すケーブルドラム１の胴部２に変更を加えた変形例を示すものである。上述と同様の構成については説明を省略し、同符号を付す。
【００２８】
図３に示すように、ケーブルドラム１１の胴部１２は、円錐台状に形成されると共に外周面１５に階段状（段差状）に複数の段部１３が設けられている。
【００２９】
段部１３は、断面形状が胴部１２の全周に亘って同じとなるように環状に形成されており、ケーブル４を案内するガイドとして機能すると共に、マークとして機能する。段部１３は、径方向の寸法がケーブル４の直径と同じに形成されると共に、軸方向の寸法がケーブル４の直径と同じに形成されており、ケーブル４の段が下層から上層に行くに従ってトラバース幅Ｗがケーブル１本分ずつ増えるようになっている。また、段部１３は、ケーブル４を巻き出したとき露出される山折り線１４がマークとなり、山折り線１４の数を数えるだけでケーブル残量を判別できるようになっている。
【００３０】
ケーブル４は、胴部１２の外周に小径側から巻き付けられると共に、トラバース幅Ｗを胴部１２の階段状の傾斜に応じて順次広くして巻き付けられている。具体的には、同一段のケーブル４は、胴部１２の小径側から大径側に連続的にトラバースして巻かれ、段部１３の位置まで巻かれている。これにより、同一段のケーブル４は、全て同じ半径となるように巻かれると共に、最も大径側のケーブル４が段部１３の外周面１５に沿って安定して巻かれるようになっている。
【００３１】
このように、マークが段部１３からなるものとしても、露出された段部１３の数を数えるだけでケーブル残量を容易に判別できる。
【００３２】
なお、段部１３の軸方向の寸法と径方向の寸法は同じでなくともよい。また、段部１３の軸方向の寸法又は径方向の寸法は、ケーブル４の直径の整数倍であってもよい。またさらに、段部１３のそれぞれに別の色を着色して色分けしてもよい。この場合、段部１３の外周面１５のみに着色してもよく、端面１６のみに着色しても良く、外周面１５と端面１６との両方に着色してもよい。最も小径側で露出された段部１３の色を目視するだけで容易にケーブル残量を判別できる。
【００３３】
さらに他の実施の形態について述べる。
【００３４】
図４は図１に示すケーブルドラム１のマーク５ａ〜５ｄに変更を加えた変形例を示すものである。上述と同様の構成については説明を省略し、同符号を付す。
【００３５】
図４に示すように、ケーブルドラム２１のマーク２２は、胴部２３の大径側の端から小径側に延びる線状に形成されており、胴部２３の周方向に位置をずらして複数設けられている。また、これらマーク２２は、ケーブル４の巻き出しに応じて先端（小径側の端）２４が順次露出されるように、長さに変化を付けて形成されている。具体的には、マーク２２は、長さが所定長さずつ段階的に長くなるように周方向に間隔を隔てて並べられている。この所定長さとは、ケーブル４の直径と略同じ寸法である。ケーブル４が巻き出されて胴部２３の露出が拡がる度に順次隣接するマーク２２の先端２４が露出されるようになっている。また、マーク２２は、それぞれ別の色に色分けされており、色に応じてケーブル残量が判別できるようになっている。具体的には、マーク２２は、胴部２３の外周面にインク等で印刷されている。なお、マーク２２は、胴部２３の外周面にテープ等を貼り付けてなるものであってもよい。
【００３６】
このように、マーク２２が、胴部２３の大径側の端から小径側に延びると共に、周方向の位置をずらして設けられ、かつ、段階的に長さが変わるように設けられるものとしても、ケーブル４が巻き出されて露出したマーク２２のうち、先端２４が露出しているマーク２２の数や、先端２４が露出し、かつ、最長のマーク２２の色を目視確認することでケーブル残量を容易に判別できる。具体的には、残量１００ｍを示すマーク２２の先端２４がケーブルに重なっておらず（見えており）、かつ、次のマーク２２である５０ｍを示すマーク２２の先端２４がケーブルに重なっている（見えていない）場合は、残量が５０ｍ〜１００ｍであるということが分かる。
【符号の説明】
【００３７】
１  ケーブルドラム
２  胴部
２ａ  外周面
４  ケーブル
５ａ  マーク
５ｂ  マーク
５ｃ  マーク
５ｄ  マーク
Ｗ  トラバース幅
【図１】
2014009093.tif 000003
【図２】
2014009093.tif 000004
【図３】
2014009093.tif 000005
【図４】
2014009093.tif 000006
【図５】
2014009093.tif 000007